(57)【要約】【課題】本発明は、ネットワーク制御における電力消費を削減する。【解決手段】インク吐出式印刷装置１は、通信機能を実行する通信機能実行手段としてＵＳＢコントローラ２１、ネットワークコントローラ２２等を備え、該ＵＳＢコントローラ２１、ネットワークコントローラ２２へ電源部１０から電源電力を供給する。ＡＳＩＣ２３が、操作パネル９やホスト装置ＨＳからの通信機能実行手段の有効／無効の設定情報を受信すると、ＣＰＵ１１が、該設定情報に基づいて、電源部１０に、該通信機能実行手段への電源電力の供給／供給遮断を制御する。【選択図】          図１
2015134480.tif 000002
【特許請求の範囲】
【請求項１】
通信機能を実行する通信機能実行手段と、
電源電力を前記通信機能実行手段へ供給する電源電力供給手段と、
前記通信機能実行手段の有効／無効の設定情報を受信する設定情報受信手段と、
前記設定情報に基づいて、前記電源電力供給手段に、前記通信機能実行手段への前記電源電力の供給／供給遮断を行わせる制御手段と、
を備えていることを特徴とする通信制御装置。
【請求項２】
前記通信制御装置は、
情報を報知出力する報知手段を、
さらに備え、
前記通信機能実行手段は、
通信回線の接続されるコネクタと、
前記コネクタを覆う状態で着脱可能に装着されるカバーと、
前記カバーの前記コネクタへの装着の有無を検出するカバー検出手段と、
を備え、
前記制御手段は、
前記カバー検出手段が前記カバーの未装着状態を検出すると、前記報知手段に前記通信機能実行手段を有効にするか、無効にするかを問い合わせる問い合わせ情報を報知出力させ、該問い合わせに応じて前記設定情報受信手段が受信した前記設定情報に基づいて、前記電源電力供給手段に、該通信機能実行手段への前記電源電力の供給／供給遮断を行わせることを特徴とする請求項１記載の通信制御装置。
【請求項３】
前記制御手段は、
前記通信機能実行手段への前記電源電力の供給を停止している状態で、前記カバー検出手段が前記カバーの未装着状態を検出すると、前記報知手段に該通信機能実行手段を有効にするか、無効にするかを問い合わせる問い合わせ情報を報知出力させ、該問い合わせに応じて前記設定情報受信手段が該通信機能実行手段を有効にする前記設定情報を受信したときのみ、前記電源電力供給手段に、該通信機能実行手段への前記電源電力の供給を行わせることを特徴とする請求項２記載の通信制御装置。
【請求項４】
前記通信制御装置は、
通信ケーブルの接続の有無状態を検出するケーブル接続状態検出機能を有する複数の前記通信機能実行手段を備え、
前記制御手段は、
前記通信機能実行手段のうち、少なくとも１つの該通信機能実行手段へ通信ケーブルが接続されると、他の該通信機能実行手段の有効／無効を問い合わせる問い合わせ情報を前記報知手段に報知出力させ、該問い合わせに応じて前記設定情報受信手段が受信した前記設定情報に基づいて、前記電源電力供給手段に、該他の通信機能実行手段への前記電源電力の供給／供給遮断を行わせることを特徴とする請求項２または請求項３記載の通信制御装置。
【請求項５】
通信制御部によって電源電力の供給／供給遮断の行われる通信機能実行手段によって受信した画像データに対して画像処理を行う画像処理装置であって、
前記通信制御部として、請求項１から請求項４のいずれかに記載の通信制御装置を備えていることを特徴とする画像処理装置。
【請求項６】
通信機能を実行する通信機能実行処理ステップと、
電源電力を前記通信機能実行処理ステップへ供給する電源電力供給処理ステップと、
前記通信機能実行処理ステップの有効／無効の設定情報を受信する設定情報受信処理ステップと、
前記設定情報に基づいて、前記電源電力供給処理ステップによる前記通信機能実行処理ステップへの前記電源電力の供給／供給遮断を制御する制御処理ステップと、
を有することを特徴とする通信機能制御方法。
【請求項７】
制御プロセッサに、
通信機能を実行する通信機能実行処理と、
電源電力を前記通信機能実行処理へ供給する電源電力供給処理と、
前記通信機能実行処理の有効／無効の設定情報を受信する設定情報受信処理と、
前記設定情報に基づいて、前記電源電力供給処理による前記通信機能実行処理への前記電源電力の供給／供給遮断を制御する制御処理と、
を実行させることを特徴とする通信機能制御プログラム。
【発明の詳細な説明】
【技術分野】
【０００１】
本発明は、通信制御装置、画像処理装置、通信機能制御方法及び通信機能制御プログラムに関し、詳細には、通信制御における電力消費を削減する通信制御装置、画像処理装置、通信機能制御方法及び通信機能制御プログラムに関する。
【背景技術】
【０００２】
ファクシミリ装置、複写装置、プリンタ装置、スキャナ装置、複合装置等の画像処理装置、コンピュータ等の電気機器は、近年、ネットワークモジュールを搭載して、ネットワーク機能を利用できるようになってきている。
【０００３】
このような電気機器は、一般的に、ネットワークモジュールの一部として、本体筐体に、ネットワークコネクタを備えており、該ネットワークコネクタにネットワークケーブルが接続されることで、ネットワーク機能を利用することができる。
【０００４】
一方、近年、電気機器においては、省電力が要求され、不要な電力の削減が電気機器における重要な課題となっている。
【０００５】
そして、従来、ネットワークに接続するためのコネクタを持ち、ネットワークを介して外部機器との間で画像情報の交信を可能とするネットワークインターフェイスと、画像情報に対し画像出力用の処理を施す画像処理手段であり、ネットワークを介して交信する画像情報に対応する機能を一部に備えた処理手段と、ネットワークインターフェイスが不要な場合に、前記コネクタを使用不能状態にするために、装着によりコネクタを覆うコネクタカバーと、ネットワーク関連機能を機能させるか、否かを切替えるネットワーク関連機能有効／無効切替手段と、前記コネクタカバーの装着を検出する装着検出手段と、前記装着検出手段による検出に応じ、ネットワーク関連機能を機能させないように、ネットワーク関連機能有効／無効切替手段を制御する手段を有する画像処理装置が提案されている（特許文献１参照）。
【０００６】
すなわち、この従来技術は、図１２に示すように、ネットワークコネクタ１０１に、スイッチ等のコネクタカバー１０２によって動作するカバー検出部１０３を設け、コネクタカバー１０２の装着の有無を、カバー検出部１０３の動作によって、ＡＳＩＣ１０４が検出する。そして、ＡＳＩＣ１０４が、コネクタカバー１０２の装着の有無の検出結果に基づいて、ネットワークコントローラ１０５によるネットワーク関連機能の有効／無効を制御している。したがって、コネクタカバー１０２がネットワークコネクタ１０１に装着されていると、ネットワーク関連機能を無効にすることで、消費電力の削減を図っている。
【発明の概要】
【発明が解決しようとする課題】
【０００７】
しかしながら、上記公報記載の従来技術にあっては、図１２に示したように、着脱可能なコネクタカバー１０２がネットワークコネクタ１０１に装着されているか否かによって、ネットワーク関連機能の有効／無効を制御している。したがって、図１３に示すように、コネクタカバー１０２の紛失が発生すると、該コネクタカバー１０２を利用したネットワーク関連機能の有効／無効の制御を行うことができず、省電力効果を向上させる上で、改良の必要があった。
【０００８】
そこで、本発明は、通信制御における省電力効果を向上させることを目的としている。
【課題を解決するための手段】
【０００９】
上記目的を達成するために、請求項１記載の電気機器は、通信機能を実行する通信機能実行手段と、電源電力を前記通信機能実行手段へ供給する電源電力供給手段と、前記通信機能実行手段の有効／無効の設定情報を受信する設定情報受信手段と、前記設定情報に基づいて、前記電源電力供給手段に、前記通信機能実行手段への前記電源電力の供給／供給遮断を行わせる制御手段と、を備えていることを特徴としている。
【発明の効果】
【００１０】
本発明によれば、通信制御における省電力効果を向上させることができる。
【図面の簡単な説明】
【００１１】
【図１】本発明の一実施例を適用したインク吐出式印刷装置のブロック図。
【図２】操作パネルの概略平面図。
【図３】ＵＳＢコネクタとネットワークコネクタの正面図。
【図４】コネクタカバーの装着されているネットワークコネクタの正面図と側面図。
【図５】インク吐出式印刷装置の要部構成図。
【図６】インク吐出式印刷装置の通信モジュール部分のブロック図。
【図７】通常の印刷制御処理を示すフローチャート。
【図８】通信機能制御処理を示すフローチャート。
【図９】コネクタカバーに基づく通信機能制御処理を示すフローチャート。
【図１０】ＵＳＢコネクタへのＵＳＢケーブルの接続状態を示す図。
【図１１】ＵＳＢケーブルの接続有無に基づく通信機能制御処理を示すフローチャート。
【図１２】従来のネットワーク制御の説明図。
【図１３】従来のネットワーク制御におけるコネクタカバーが紛失したときの問題点の説明図。
【発明を実施するための形態】
【００１２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１３】
図１〜図１１は、本発明の通信制御装置、画像処理装置、通信機能制御方法及び通信機能制御プログラムの一実施例を示す図であり、図１は、本発明の通信制御装置、画像処理装置、通信機能制御方法及び通信機能制御プログラムの一実施例を適用したインク吐出式印刷装置１のブロック構成図である。
【００１４】
図１において、インク吐出式印刷装置（画像処理装置）１は、制御部２、記録ヘッド３、主走査モータ４、副走査モータ５、メンテナンスモータ６、エンコーダセンサ７、アナログセンサ８、操作パネル９及び電源部１０等を備えている。
【００１５】
電源部（電源電力供給手段）１０は、ＡＣ１００Ｖの商用電源電力（外部電源電力）のコンセントに挿入されるプラグが接続されている電源コードが接続されている。電源部１０は、例えば、ダイオードブリッジ等を用いた通常の全波整流回路であり、ＡＣ１００Ｖの商用交流電源電力（外部電源電力）から、整流、変圧して直流の駆動電源電力を生成して、インク吐出式印刷装置１の各部へ供給する電源電力供給処理を行う。
【００１６】
制御部２は、ＣＰＵ（Central Processing Unit ）１１、ＲＯＭ（Read Only Memory）１２、RAM（Random Access Memory）１３、ＥＥＰＲＯＭ（Electrically Erasable Programmable Read Only Memory ）１４、ＤＡＣ（Digital／Analog Converter）１５、ヘッドドライバ１６、主走査モータドライバ１７、副走査モータドライバ１８、メンテナンスモータドライバ１９、ＡＤＣ（analog／digital converter）２０、ＵＳＢ（Universal Serial Bus）コントローラ２１、ネットワークコントローラ２２及びＡＳＩＣ（Application Specific Integrated Circuit）２３等を搭載している。そして、上記ＵＳＢコントローラ２１、ネットワークコントローラ２２及びＡＳＩＣ２３のネットワーク関連部分は、全体として、通信処理を実行する通信モジュール３０として機能している。また、インク吐出式印刷装置１は、その通信モジュール３０、ＣＰＵ１１、ＡＳＩＣ２３及び電源部１０が、通信モジュール３０のＵＳＢコントローラ２１、ネットワークコントローラ２２による通信制御における省電力を行う通信制御部（通信制御装置）４０を備えた画像処理装置として構築されている。
【００１７】
操作パネル９は、例えば、図２に示すように、印刷中断キー、強制排紙キー、ＯＫキー、戻るキー、メニューキー、スタートキー等のインク吐出式印刷装置１の操作を行うのに必要な各種操作キー９ａを備えるとともに、液晶ディスプレイ（ＬＣＤ（Liquid Crystal Display）等で構成されているディスプレイ９ｂを備えている。操作パネル９は、上記各操作キーからは、インク吐出式印刷装置１を動作させる各種操作が行われ、ディスプレイ９ｂに、操作キーから入力された命令内容やインク吐出式印刷装置１からユーザに通知する各種情報を表示する。なお、ディスプレイ９ｂは、ディスプレイ９ｂ上へのタッチ操作を検知するタッチ機能を備えたものであってもよい。この場合、ＣＰＵ１１は、ディスプレイ９ｂは、画面上に、各種機能ボタンを表示させ、該機能ボタンへのタッチ操作が検出されると、該機能ボタンに割り付けられたボタン機能の操作として認識する。
【００１８】
インク吐出式印刷装置１は、通信ケーブルであるＵＳＢケーブルＣｕ、ネットワークケーブルＣｅ等を介して、コンピュータ等のホスト装置ＨＳに接続されており、ホスト装置ＨＳは、印刷データと印刷設定を含む印刷ジョブをインク吐出式印刷装置１へ送信する。
【００１９】
すなわち、インク吐出式印刷装置１は、通信機能実行手段として、ＵＳＢコントローラ２１とネットワークコントローラ２２を備えている。なお、通信機能実行手段としては、これらＵＳＢコントローラ２１とネットワークコントローラ２２に限るものではない。ＵＳＢコントローラ２１及びネットワークコントローラ２２は、インク吐出式印刷装置１の筐体部分に設けられた図３（ａ）及び図３（ｂ）に示すようなＵＳＢコネクタ２１ａ及びネットワークコネクタ２２ａを備えている。ＵＳＢコネクタ２１ａ及びネットワークコネクタ２２ａは、通常、筐体の近くに配設され、ＵＳＢケーブルＣｕのプラグＣｕｐ（図１０参照）及びネットワークケーブルＣｅのプラグが挿入される。図３（ａ）、（ｂ）に示すように、ネットワークコネクタ２２ａは、その開口部が、ＵＳＢコネクタ２１ａの開口部よりも大きいため、ＵＳＢケーブルＣｕのプラグＣｕｐが、ネットワークコネクタ２２ａに挿入されてしまうおそれがある。
【００２０】
そこで、少なくとも、ネットワークコネクタ（コネクタ）２２ａは、図４に示すように、コネクタカバー（カバー）２２ｂが着脱可能に装着される。なお、コネクタカバー２２ｂは、突出したツマミ部が形成されており、ネットワークコネクタ２２ａへの着脱を容易に行えるような形状に形成されている。
【００２１】
ＵＳＢコントローラ２１は、ＵＳＢコネクタ２１ａに接続されたＵＳＢケーブルＣｕを介してホスト装置ＨＳから着信があると、着信信号をＡＳＩＣ２３に出力し、ＡＳＩＣ２３の制御下で、ホスト装置ＨＳとの間でデータ及び信号の授受を行う。
【００２２】
ネットワークコントローラ２２は、ネットワークコネクタ２２ａに接続されたネットワークケーブルＣｅを介してホスト装置ＨＳから着信があると、着信信号をＡＳＩＣ２３に出力し、ＡＳＩＣ２３の制御下で、ホスト装置ＨＳとの間でデータ及び信号の授受を行う。
【００２３】
そして、ＡＳＩＣ２３は、上記着信の有無及び着信のあったコントローラ２１、２２の種別等の着信情報をＣＰＵ１１に出力する。ＣＰＵ１１は、ＡＳＩＣ２３からの着信情報等に基づいて、ＡＳＩＣ２３を介してＵＳＢコントローラ２１及びネットワークコントローラ２２を制御して、通信処理を行う。
【００２４】
インク吐出式印刷装置１は、ホスト装置ＨＳに接続されているＵＳＢケーブルＣｕがＵＳＢコントローラ２１に接続されることで、ＵＳＢケーブルＣｕを介してＵＳＢコントローラ２１を使用してホスト装置ＨＳと通信可能となる。また、インク吐出式印刷装置１は、ホスト装置ＨＳに接続されているネットワークケーブルＣｅがネットワークコントローラ２２に接続されることで、ネットワークケーブルＣｅを介してネットワークコントローラ２２を使用してホスト装置ＨＳと通信可能となる。
【００２５】
記録ヘッド３は、その吐出面（ノズル面）が、用紙（被記録媒体）に向くように、図示しないキャリッジに搭載されており、ノズルから用紙にインク滴を吐出して画像を形成する。記録ヘッド３は、インク吐出式印刷装置１がカラーに対応しているときには、例えば、イエロー（Ｙ）、マゼンタ（Ｍ）、シアン（Ｃ）、ブラック（Ｋ）のインク滴を、それぞれ吐出する各色用のノズル列を搭載している。
【００２６】
インク吐出式印刷装置１は、記録ヘッド３を搭載するキャリッジが、主走査方向に張り渡された主ガイドロッドに案内されて主走査方向に移動可能に配設されている。インク吐出式印刷装置１は、キャリッジが、主走査モータ４によって主走査方向に移動される図示しないタイミングベルトに連結されており、主走査モータ４によってタイミングベルトを介して主走査方向に移動される。
【００２７】
また、インク吐出式印刷装置１は、記録ヘッド３を搭載するキャリッジの下方に、無端帯状の搬送ベルトが、一対の搬送ローラに張り渡される状態で配設されている。搬送ベルトは、搬送ローラが副走査モータ５によって回転駆動されることで、キャリッジの移動方向（主走査方向）と直交する副走査方向に回転搬送され、用紙を搬送する。
【００２８】
これら主走査モータ４及び副走査モータ５の回転をエンコーダセンサ７が検出して、制御部２のＡＳＩＣ２３へ出力する。
【００２９】
インク吐出式印刷装置１は、メンテナンスモータ６を駆動させて、記録ヘッド３の吐出面の清掃、キャッピング、不要なインクの吐出等を行って、記録ヘッド３からの不要なインクの排出や、記録ヘッド３の信頼性の維持を図っている。
【００３０】
アナログセンサ８は、インク吐出式印刷装置１における各部の動作状態等を検出して、アナログの検出信号を制御部２のＡＤＣ２０へ出力する。ＡＤＣ２０は、アナログセンサ８からのアナログ検出信号をデジタル検出信号に変換して、ＡＳＩＣ２３へ出力する。
【００３１】
制御部２は、インク吐出式印刷装置１の全体の制御を行うユニットであり、ＲＯＭ１２は、インク吐出式印刷装置１としての基本プログラムや本発明の通信機能制御プログラム等のプログラム及びシステムデータを格納している。
【００３２】
ＣＰＵ１１は、ＲＯＭ１２内のプログラムに基づいてＲＡＭ１３をワークメモリとして利用しつつ、インク吐出式印刷装置１の各部を制御して、インク吐出式印刷装置１としての基本処理を実行するとともに、本発明の通信機能制御方法を実行する。特に、ＣＰＵ１１は、後述するように、通信機能実行手段の有効／無効の設定情報に基づいて、電源部１０に、該通信機能実行手段への前記電源電力の供給／供給遮断を行わせる制御処理を実行し、制御手段として機能している。
【００３３】
ＥＥＰＲＯＭ１４は、不揮発性メモリであり、インク吐出式印刷装置１の電源がオフの場合にも記憶しておくべきデータ（例えば、システムログ／システム設定／ログ情報等）を記憶する。
【００３４】
すなわち、インク吐出式印刷装置１は、ＲＯＭ、ＥＥＰＲＯＭ、ＥＰＲＯＭ （Erasable Programmable Read Only Memory）、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の通信機能制御方法を実行する通信機能制御プログラムを読み込んでＲＯＭ１２等に導入することで、後述する本発明のＵＳＢコントローラ２１、ネットワークコントローラ２２等の通信機能実行手段の有効／無効を適切に制御する通信機能制御方法を実行する通信制御部４０を搭載する画像処理装置として構築されている。この通信機能制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３５】
制御部２は、上述のように、ＵＳＢコントローラ２１またはネットワークコントローラ２２を介して印刷ジョブを受信すると、印刷ジョブを、ＡＳＩＣ２３内の受信バッファに一時格納する。
【００３６】
そして、ＣＰＵ１１は、ＡＳＩＣ２３の受信バッファ内の印刷ジョブを読み出して解析し、ＡＳＩＣ２３に、印刷データの拡大／縮小、回転、解像度変換、データの並び替え等の必要な画像処理を行なって、ＤＡＣ１５を介してヘッドドライバ１６へ出力する。ＤＡＣ１５は、デジタルの印刷データを、アナログのデータに変換してヘッドドライバ１６へ出力する。なお、画像出力するためのドットパターンデータの生成は、例えば、ＲＯＭ１２にフォントデータを格納して行っても良いし、ホスト装置ＨＳ側のプリンタドライバで画像データをビットマップデータに展開して、インク吐出式印刷装置１に転送してもよい。
【００３７】
ヘッドドライバ１６は、記録ヘッド３の１行分に相当する画像データ（ドットパターンデータ）をＤＡＣ１５を介してＡＳＩＣ２３から受け取ると、この１行分のドットパターンデータを、クロック信号に同期して、記録ヘッド３にシリアルに出力する。また、ヘッドドライバ１６は、所定のタイミングでラッチ信号を記録ヘッド３に出力する。
【００３８】
ＡＳＩＣ２３は、ヘッド駆動部を内蔵しており、ヘッド駆動部は、波形整形回路及びアンプ等を含む駆動波形発生回路を含んでいる。波形整形回路は、ＲＯＭ１２に格納されている駆動波形（ヘッド駆動信号）のパターンデータ読み取って該駆動波形のパターンデータを、内蔵するＤ／Ａ変換器（ＤＡＣ）でＤ／Ａ変換してアンプに出力する。アンプは、Ｄ／Ａ変換された駆動波形のパターンデータを記録ヘッド３へ出力する。
【００３９】
記録ヘッド３は、ヘッドドライバ１６からのクロック信号及び画像データであるシリアルデータが入力されるシフトレジスタ、シフトレジスタのレジスト値をヘッドドライバ１６からのラッチ信号でラッチするラッチ回路、ラッチ回路の出力値をレベル変化するレベル変換回路（レベルシフタ）、このレベルシフタでオン／オフが制御されるアナログスイッチアレイ等を含んでいる。記録ヘッド３は、アナログスイッチアレイのオン／オフを制御することで、ＡＳＩＣ２３からの駆動波形に含まれる所要の駆動波形を選択的にアクチュエータに印加してノズルを駆動し、ノズルから用紙へインク滴を吐出する。
【００４０】
ＣＰＵ１１は、エンコーダセンサ７の検出信号、アナログセンサ８の検出信号に基づいて、記録ヘッド３を搭載するキャリッジの主走査方向位置、用紙の搬送位置等を判定する。ＣＰＵ１１は、上記判定結果に基づいて、ＡＳＩＣ２３を介して主走査モータドライバ１７及び副走査モータドライバ１８に駆動信号を出力する。主走査モータドライバ１７及び副走査モータドライバ１８は、ＡＳＩＣ２３からの駆動信号に基づいて、主走査モータ４及び副走査モータ５の駆動を制御する。
【００４１】
ＣＰＵ１１は、メンテナンスタイミングに、ＡＳＩＣ２３を介して、主走査モータドライバ１７及びメンテナンスモータドライバ１９に駆動信号を出力し、記録ヘッド３をメンテナンス領域に移動させて、図示しないメンテナンスユニットを駆動させてメンテナンスを行う。
【００４２】
そして、インク吐出式印刷装置１は、少なくともネットワークコネクタ２２ａには、図５に示すように、キースイッチ２２ｃが配設されている。キースイッチ（カバー検出手段）２２ｃは、ネットワークコネクタ２２ａへのコネクタカバー２２ｂの装着の有無を検知し、コネクタカバー２２ｂの装着の有無を示すカバー検知信号をＡＳＩＣ２３へ出力する。
【００４３】
また、ＡＳＩＣ２３は、上述のように、ＵＳＢコントローラ２１及びネットワークコントローラ２２に接続されており、ＵＳＢコントローラ２１及びネットワークコントローラ２２からの着信情報が入力される。
【００４４】
ＡＳＩＣ２３は、キースイッチ２２ｃからのカバー検知信号をＣＰＵ１１へ出力し、また、ＵＳＢコントローラ２１及びネットワークコントローラ２２からの着信情報をＣＰＵ１１へ出力する。
【００４５】
また、ＵＳＢコントローラ２１は、通常、ＵＳＢコネクタ２１ａへのＵＳＢケーブルCuの接続の有無を検出する機能を有しており、ＵＳＢコネクタ２１ａへのＵＳＢケーブルCuの接続有無情報（ＵＳＢ接続有無情報）をＡＳＩＣ２３に出力する。ＡＳＩＣ２３は、このＵＳＢコネクタ２１ａへのＵＳＢケーブルCuの接続有無を示すＵＳＢ接続有無情報を、ＣＰＵ１１へ出力する。
【００４６】
同様に、ネットワークコントローラ２２は、通常、ネットワークコネクタ２２ａへのネットワークケーブルＣｅの接続の有無を検出する機能を有しており、ネットワークコネクタ２２ａへのネットワークケーブルＣｅの接続有無情報（ネットワーク接続有無情報）をＡＳＩＣ２３に出力する。ＡＳＩＣ２３は、このネットワークコネクタ２２ａへのネットワークケーブルＣｅの接続有無を示すネットワーク接続有無情報を、ＣＰＵ１１へ出力する。
【００４７】
ＣＰＵ１１は、カバー検出信号及び着信情報に基づいて、操作パネル９のディスプレイ９ｂへ、ＵＳＢコントローラ２１、ネットワークコントローラ２２及びＡＳＩＣ２３のネットワーク関連部分からなる通信モジュール３０の有効／無効を制御する。ＣＰＵ１１は、この通信モジュール３０、特に、ＵＳＢコントローラ２１及びネットワークコントローラ２２等の通信機能実行手段の有効／無効を制御するために、後述するように、必要な情報を操作パネル９のディスプレイ９ｂ、また、ホスト装置ＨＳのディスプレイに表示させ、該表示に応じた操作パネル９のキー９ｂやホスト装置ＨＳでの操作に基づいて、ＵＳＢコントローラ２１及びネットワークコントローラ２２等の通信機能実行手段の有効／無効を制御する。
【００４８】
そして、インク吐出式印刷装置１は、ＡＳＩＣ２３が、操作パネル９でＵＳＢコントローラ２１、ネットワークコントローラ２２の通信機能の有効／無効の設定が行われると、該設定情報を受信して、ＣＰＵ１１へ出力する。また、ＡＳＩＣ２３は、ホスト装置ＨＳでＵＳＢコントローラ２１、ネットワークコントローラ２２の通信機能の有効／無効の設定が行われると、該設定情報をＵＳＢコントローラ２１またはネットワークコントローラ２２を介して受信して、ＣＰＵ１１へ出力する。したがって、ＡＳＩＣ２３は、前記通信機能実行手段の有効／無効の設定情報を受信する設定情報受信処理を行う設定情報受信手段として機能している。
【００４９】
次に、本実施例の作用を説明する。本実施例のインク吐出式印刷装置１は、通信制御における省電力効果を向上させる。
【００５０】
すなわち、インク吐出式印刷装置１は、図６に示すように、ＵＳＢコントローラ２１のＵＳＢコネクタ２１ａとネットワークコントローラ２２のネットワークコネクタ２２ａのうち、少なくともいずれかに、ＵＳＢケーブルＣｕのプラグＣｕｐ、ネットワークケーブルＣｅのプラグが挿入されることで、ホスト装置ＨＳとの通信が可能となる。
【００５１】
インク吐出式印刷装置１は、少なくともＵＳＢケーブルＣｕのプラグＣｕｐ、ネットワークケーブルＣｅのプラグが、ＵＳＢコネクタ２１ａ、ネットワークコネクタ２２ａに挿入されている状態で、通信モジュール３０が有効に設定されていると、ホスト装置ＨＳとの通信が可能である。
【００５２】
また、インク吐出式印刷装置１は、通常の動作を可能な通常待機状態が、予め設定されている待機時間が経過すると、電源部１０から主要各部へ供給している電源電力の供給を遮断または削減する省電力モードを備えている。インク吐出式印刷装置１は、ＣＰＵ１１が、省電力モードへの移行と復帰を制御する。
【００５３】
そして、インク吐出式印刷装置１は、通信モジュール３０が有効な状態においては、図７に示すように、ＣＰＵ１１の制御下で、通常の印刷制御処理を行う。すなわち、ＣＰＵ１１は、図７に示すように、ホスト装置ＨＳから受信した印刷ジョブに基づいて、印刷データの用紙への印刷を行って、印刷を完了すると（ステップＳ１０１）、動作要求を待つ通常の待機状態へ移行する（ステップＳ１０２）。
【００５４】
ＣＰＵ１１は、通常待機状態に移行すると、予め設定されている待ち時間が経過したかチェックし（ステップＳ１０３）、待ち時間が経過していないとき（ステップＳ１０３で、ＮＯのとき）、通常待機状態を継続する（ステップＳ１０２、Ｓ１０３）。
【００５５】
ステップＳ１０３で、待ち時間が経過すると（ステップＳ１０３で、ＹＥＳのとき）、ＣＰＵ１１は、電源部１０を制御して、主要各部への駆動電源電力の供給の停止または削減を行う省電力状態（省電力モード）へ移行する（ステップＳ１０４）。ＣＰＵ１１は、この省電力状態では、通信モジュール３０が有効に設定されていると、通信モジュール３０への駆動電源電力の供給を継続し、ＵＳＢコントローラ２１、ネットワークコネクタ２２による着信を可能な状態としている。
【００５６】
ＣＰＵ１１は、通信モジュール３０が有効な省電力状態へ移行すると、ＵＳＢコントローラ２１、ネットワークコネクタ２２が印刷データを受信したかチェックする（ステップＳ１０５）。
【００５７】
ステップＳ１０５で、印刷データを受信していないとき（ステップＳ１０５で、ＮＯのとき）、ＣＰＵ１１は、省電力状態を継続して、再度、印刷データの受信の有無をチェックする（ステップＳ１０４、Ｓ１０５）。
【００５８】
ステップＳ１０５で、印刷データを受信すると（ステップＳ１０５で、ＹＥＳのとき）、ＣＰＵ１１は、着信のあったＵＳＢコントローラ２１、ネットワークコントローラ２２を利用して印刷データの受信を行い、印刷処理を行う印刷動作を行う（ステップＳ１０６）。
【００５９】
ＣＰＵ１１は、印刷動作を開始して、印刷が完了すると、（ステップＳ１０１）、通常待機状態に移行して、上記同様に、処理を行う（ステップＳ１０１〜Ｓ１０６）。
【００６０】
ところが、上記通常の印刷制御処理のみでは、省電力状態においても、ＵＳＢコントローラ２１、ネットワークコントローラ２２等の通信機能実行手段へ電源電力を供給して通信機能を有効にしているため、省電力を向上させる上で、不十分である。そこで、本実施例のインク吐出式印刷装置１は、図８に示すように、ユーザによる操作パネル９からの通信モジュール３０、特に、ＵＳＢコントローラ２１、ネットワークコントローラ２２の有効／無効の操作を可能として、通信モジュール３０における省電力を向上させる。なお、図８では、操作パネル９での有効／無効の操作に基づく通信機能制御処理を示しているが、ホスト装置ＨＳでの有効／無効の操作に基づいても、同様に処理することができる。
【００６１】
すなわち、ＣＰＵ１１は、図８に示すように、操作パネル９のキー９ａのうち、メニューキー（図２参照）が押下操作されると（ステップＳ２０１）、メニュー画面をディスプレイ９ｂに表示する（ステップＳ２０２）。ＣＰＵ１１は、このメニュー画面として、インク吐出式印刷装置１の備えている各種機能を選択設定を可能とするために、例えば、メンテナンス、システム設定、通信機能を選択するメニュー画面をディスプレイ９ｂに表示する（ステップＳ２０３）。
【００６２】
ＣＰＵ１１は、メニュー画面をディスプレイ９ｂに表示すると、通信機能が選択されて、操作パネル９のキー９ａのうち、ＯＫキー（図２参照）が押下操作されるのを確認する（ステップＳ２０４）。ＣＰＵ１１は、ＯＫキーが押下操作されると、通信機能をＯＦＦ（無効）にしても良いかを問い合わせる表示（例えば、「通信機能ＯＦＦ？」等の表示）をディスプレイ９ｂに行う（ステップＳ２０５）。
【００６３】
ＣＰＵ１１は、通信機能のＯＦＦを問い合わせる表示を行うと、ＯＫキーが押下操作されたかチェックし（ステップＳ２０６）、押下操作されないとき（ステップＳ２０６で、ＮＯのとき）、ＮＧキーが押下操作されたかチェックする（ステップＳ２０７）。
【００６４】
ステップＳ２０７で、ＮＧキーが押下操作されないとき（ステップＳ２０７で、ＮＯのとき）、ＣＰＵ１１は、ステップＳ２０６に戻って、ＯＫキーとＮＧキーのいずれが押下操作されるかチェックする（ステップＳ２０６、Ｓ２０７）。
【００６５】
ステップＳ２０６で、ＯＫキーが押下操作されると（ステップＳ２０６で、ＹＥＳのとき）、ＣＰＵ１１は、ＵＳＢコントローラ２１、ネットワークコントローラ２２等の通信機能実行手段への電源部１０からの電源電力の供給を停止させて、通信機能をＯＦＦ（無効）にする（ステップＳ２０８）。なお、このＵＳＢコントローラ２１、ネットワークコントローラ２２への電源電力の供給／供給遮断は、ＡＳＩＣ２３がＣＰＵの制御下で行ってもよいし、ＣＰＵ１１が、直接、電源部１０の電源供給回路を制御して行ってもよい。
【００６６】
ステップＳ２０７で、ＮＧキーが押下操作されると（ステップＳ２０７で、ＹＥＳのとき）、ＣＰＵ１１は、通信機能、すなわち、ＵＳＢコントローラ２１、ネットワークコントローラ２２等の通信機能実行手段への電源部１０からの電源電力の供給を継続させて、通信機能をＯＮ（有効）にする（ステップＳ２０９）。
【００６７】
ＣＰＵ１１は、ＵＳＢコントローラ２１、ネットワークコントローラ２２等の通信機能実行手段の有効／無効を設定すると、通信機能制御処理を終了する。
【００６８】
また、本実施例のインク吐出式印刷装置１は、コネクタカバー２２ｂ及びコネクタカバー２２ｂのネットワークコネクタ２２ａへの装着の有無を検出するキースイッチ２２ｃを備えている。
【００６９】
そこで、ＣＰＵ１１は、図９に示すように、コネクタカバー２２ｂの装着の有無に基づいて、通信機能の有効／無効を制御する。
【００７０】
すなわち、ＣＰＵ１１は、図９に示すように、キースイッチ２２ｃの出力するカバー検知信号を取得して、コネクタカバー２２ｂが外れているかチェックする（ステップＳ３０１）。
【００７１】
ステップＳ３０１で、コネクタカバー２２ｂが外れていると（ステップＳ３０１で、ＹＥＳのとき）、ＣＰＵ１１は、通信機能を有効（ＯＮ）にするか、無効（ＯＦＦ）にするかの問い合わせを行う（ステップＳ３０２）。ＣＰＵ１１は、この通信機能の有効／無効の問い合わせを、例えば、操作パネル９のディスプレイ９ｂへの通信機能の有効／無効の問い合わせを行う表示、または／及び、ホスト装置ＨＳへの通信機能の有効／無効の問い合わせを行うメッセージの送出によって行う。ホスト装置ＨＳは、通信機能の有効／無効の問い合わせを行うメッセージがインク吐出式印刷装置１から送られてくると、通信機能の有効／無効の問い合わせを行うメッセージを、例えば、プリンタドライバを介して、ホスト装置ＨＳのディスプレイに表示することで、問い合わせ処理を行う。このメッセージは、例えば、「コネクタカバーが外れています。通信機能をＯＦＦにしますか？」等のメッセージである。
【００７２】
ＣＰＵ１１は、通信機能の有効／無効の問い合わせを行うと、通信機能の有効／無効の指示を受け取るのを待つ（ステップＳ３０３）。この通信機能の有効／無効の指示は、操作パネル９のキー操作またはホスト装置ＨＳからの指示信号によって行われる。
【００７３】
ＣＰＵ１１は、通信機能無効が指示されたかチェックし（ステップＳ３０４）、通信機能無効が指示されないときには（ステップＳ３０４で、ＮＯのとき）、通信機能の有効が指示されたかチェックする（ステップＳ３０５）。
【００７４】
ステップＳ３０５で、通信機能有効が指示されないときには（ステップＳ３０５で、ＮＯのとき）、ＣＰＵ１１は、ステップＳ３０３に移行して、指示待ちから同様に処理する（ステップＳ３０３〜Ｓ３０５）。
【００７５】
ステップＳ３０４で、通信機能無効が指示されると（ステップＳ３０４で、ＹＥＳのとき）、ＣＰＵ１１は、ＵＳＢコントローラ２１、ネットワークコントローラ２２等の通信機能実行手段への電源部１０からの電源電力の供給を停止させて、通信機能をＯＦＦ（無効）にして通信機能制御処理を終了する（ステップＳ３０６）。
【００７６】
ステップＳ３０５で、通信機能有効が指示されると（ステップＳ３０５で、ＹＥＳのとき）、ＣＰＵ１１は、ＵＳＢコントローラ２１、ネットワークコントローラ２２等の通信機能実行手段への電源部１０からの電源電力の供給を継続させて、通信機能をＯＮ（有効）にして通信機能制御処理を終了する（ステップＳ３０７）。
【００７７】
そして、上記ステップＳ３０１で、コネクタカバー２２ｂが外れていないとき（ステップＳ３０１で、ＮＯのとき）、ＣＰＵ１１は、通信機能を実行することができないと判断して、ＵＳＢコントローラ２１、ネットワークコントローラ２２等の通信機能実行手段への電源部１０からの電源電力の供給を停止させて、通信機能をＯＦＦ（無効）にして通信機能制御処理を終了する（ステップＳ３０６）。
【００７８】
このようにすると、コネクタカバー２２ｂの装着有無によって、適切かつ確実に通信機能の有効／無効を制御することができ、通信制御における省電力効果を向上させることができる。
【００７９】
さらに、本実施例のインク吐出式印刷装置１は、ＵＳＢコネクタ２１ａへのＵＳＢケーブルCuの挿入の有無情報に基づいて、ネットワークコントローラ２２の通信機能の有効／無効を制御する。
【００８０】
すなわち、ＵＳＢコントローラ２１は、図１０に示すように、ＵＳＢケーブルＣｕのプラグＣｕｐが、ＵＳＢコネクタ２１ａに挿入されると、該プラグＣｕｐの挿入を検出して、プラグＣｕｐがＵＳＢコネクタ２１ａに挿入されていることを示す挿入有無情報をＡＳＩＣ２３へ出力する。ＡＳＩＣ２３は、この挿入有無情報をＣＰＵ１１へ出力する。
【００８１】
そこで、ＣＰＵ１１は、図１１に示すように、挿入有無情報、すなわち、ＵＳＢケーブルＣｕのプラグＣｕｐのＵＳＢコネクタ２１ａへの挿入有無に基づいて、ネットワークコントローラ２２の通信機能の有効／無効を制御する。
【００８２】
すなわち、ＣＰＵ１１は、図１１に示すように、ＵＳＢケーブルＣｕの接続の有無を示すＵＳＢ接続有無情報をＡＳＩＣ２３から取得して、ＵＳＢケーブルＣｕがＵＳＢコネクタ２１ａに接続されているかチェックする（ステップＳ４０１）。
【００８３】
ステップＳ４０１で、ＵＳＢケーブルＣｕがＵＳＢコネクタ２１ａに接続されていると（ステップＳ４０１で、ＹＥＳのとき）、ＣＰＵ１１は、ネットワークコントローラ２２の通信機能を有効（ＯＮ）にするか、無効（ＯＦＦ）にするかの問い合わせを行う（ステップＳ４０２）。ＣＰＵ１１は、このネットワークコントローラ２２の通信機能の有効／無効の問い合わせを、例えば、操作パネル９のディスプレイ９ｂへのネットワークコントローラ２２の通信機能の有効／無効の問い合わせを行う表示、または／及び、ホスト装置ＨＳへのネットワークコントローラ２２の通信機能の有効／無効の問い合わせを行うメッセージの送出によって行う。ホスト装置ＨＳは、ネットワークコントローラ２２の通信機能の有効／無効の問い合わせを行うメッセージがインク吐出式印刷装置１から送られてくると、該通信機能の有効／無効の問い合わせを行うメッセージを、例えば、プリンタドライバを介して、ホスト装置ＨＳのディスプレイに表示することで、問い合わせ処理を行う。このメッセージは、例えば、「ＵＳＢケーブルが接続されました。ネットワーク機能をＯＦＦにしますか？」等のメッセージである。
【００８４】
ＣＰＵ１１は、ネットワークコントローラ２２の通信機能の有効／無効の問い合わせを行うと、ネットワークコントローラ２２の通信機能の有効／無効の指示を受け取るのを待つ（ステップＳ４０３）。このネットワークコントローラ２２の通信機能の有効／無効の指示は、操作パネル９のキー操作またはホスト装置ＨＳからの指示信号によって行われる。
【００８５】
ＣＰＵ１１は、ネットワークコントローラ２２の通信機能無効が指示されたかチェックし（ステップＳ４０４）、通信機能の無効が指示されないときには（ステップＳ４０４で、ＮＯのとき）、ネットワークコントローラ２２の通信機能の有効が指示されたかチェックする（ステップＳ４０５）。
【００８６】
ステップＳ４０５で、ネットワークコントローラ２２の通信機能の有効が指示されないときには（ステップＳ４０５で、ＮＯのとき）、ＣＰＵ１１は、ステップＳ４０３に移行して、指示待ちから同様に処理する（ステップＳ４０３〜Ｓ４０５）。
【００８７】
ステップＳ４０４で、ネットワークコントローラ２２の通信機能の無効が指示されると（ステップＳ４０４で、ＹＥＳのとき）、ＣＰＵ１１は、ネットワークコントローラ２２への電源部１０からの電源電力の供給を停止させて、ネットワークコントローラ２２の通信機能をＯＦＦ（無効）にして通信機能制御処理を終了する（ステップＳ４０６）。
【００８８】
ステップＳ４０５で、ネットワークコントローラ２２の通信機能の有効が指示されると（ステップＳ４０５で、ＹＥＳのとき）、ＣＰＵ１１は、ネットワークコントローラ２２への電源部１０からの電源電力の供給を継続させて、ネットワークコントローラ２２の通信機能をＯＮ（有効）の状態を維持して通信機能制御処理を終了する（ステップＳ４０７）。
【００８９】
そして、上記ステップＳ４０１で、ＵＳＢコネクタ２１ａにＵＳＢケーブルＣｕが接続されていないとき（ステップＳ４０１で、ＮＯのとき）、ＣＰＵ１１は、ネットワークコントローラ２２の通信機能のON／ＯＦＦを制御することなく、そのまま通信機能制御処理を終了する。
【００９０】
このようにすると、ＵＳＢケーブルＣｕのＵＳＢコネクタ２１ａへの接続の有無に基づいて、ネットワークコントローラ２２の通信機能の有効／無効を制御することができ、通信制御における省電力効果をより一層向上させることができる。
【００９１】
なお、図１０及び図１１では、ＵＳＢケーブルＣｕがＵＳＢコネクタ２１ａに接続されているか否かに基づいて、ネットワークコントローラ２２の通信機能の有効／無効を制御しているが、ネットワークケーブルＣｅがネットワークコネクタ２２ａに接続されているか否かに基づいて、同様に、ＵＳＢコントローラ２１の通信機能の有効／無効を制御することができる。
【００９２】
このように、本実施例のインク吐出式印刷装置１は、その通信制御部４０が、通信機能を実行するＵＳＢコントローラ２１、ネットワークコントローラ２２等の通信機能実行手段と、電源電力を前記通信機能実行手段へ供給する電源部（電源電力供給手段）１０と、前記通信機能実行手段の有効／無効の設定情報を受信するＡＳＩＣ（設定情報受信手段）２３と、前記設定情報に基づいて、前記電源部１０に、前記通信機能実行手段への前記電源電力の供給／供給遮断を行わせるＣＰＵ（制御手段）１１と、を備えている。
【００９３】
したがって、コネクタカバー等を用いることなく、通信機能実行手段であるＵＳＢコントローラ２１、ネットワークコントローラ２２等の有効／無効を決定して電源電力の供給／供給遮断を制御することができる。その結果、通信制御における省電力効果を向上させることができる。
【００９４】
また、本実施例のインク吐出式印刷装置１は、通信機能を実行する通信機能実行処理ステップと、電源電力を前記通信機能実行処理ステップへ供給する電源電力供給処理ステップと、前記通信機能実行処理ステップの有効／無効の設定情報を受信する設定情報受信処理ステップと、前記設定情報に基づいて、前記電源電力供給処理ステップによる前記通信機能実行処理ステップへの前記電源電力の供給／供給遮断を制御する制御処理ステップと、を有する通信機能制御方法を実行している。
【００９５】
したがって、コネクタカバー等を用いることなく、通信機能実行手段であるＵＳＢコントローラ２１、ネットワークコントローラ２２等の有効／無効を決定して電源電力の供給／供給遮断を制御することができる。その結果、通信制御における省電力効果を向上させることができる。
【００９６】
さらに、本実施例のインク吐出式印刷装置１は、ＣＰＵ１１等の制御プロセッサに、通信機能を実行する通信機能実行処理と、電源電力を前記通信機能実行処理へ供給する電源電力供給処理と、前記通信機能実行処理の有効／無効の設定情報を受信する設定情報受信処理と、前記設定情報に基づいて、前記電源電力供給処理による前記通信機能実行処理への前記電源電力の供給／供給遮断を制御する制御処理と、を実行させる通信機能制御プログラムを搭載している。
【００９７】
したがって、コネクタカバー等を用いることなく、通信機能実行手段であるＵＳＢコントローラ２１、ネットワークコントローラ２２等の有効／無効を決定して電源電力の供給／供給遮断を制御することができる。その結果、通信制御における省電力効果を向上させることができる。
【００９８】
また、本実施例のインク吐出式印刷装置１は、その通信制御部４０が、情報をディスプレイ９ｂ、ホスト装置ＨＳへ報知出力するＡＳＩＣ（報知手段）２３を、さらに備え、前記通信機能実行手段が、通信回線の接続されるコネクタとしてのＵＳＢコネクタ２１ａ及びネットワークコネクタ２２ａと、前記コネクタを覆う状態で着脱可能に装着されるコネクタカバー（カバー）２２ｂと、前記コネクタカバー２２ｂの前記ネットワークコネクタ２２ａへの装着の有無を検出するキースイッチ（カバー検出手段）２２ｃと、を備え、ＣＰＵ１１が、キースイッチ２２ｃがコネクタカバー２２ｂの未装着状態を検出すると、前記報知手段としてのＡＳＩＣ２３に前記通信機能実行手段を有効にするか、無効にするかを問い合わせる問い合わせ情報を報知出力させ、該問い合わせに応じて前記設定情報受信手段としてのＡＳＩＣ２３が受信した前記設定情報に基づいて、電源部１０に、該通信機能実行手段への前記電源電力の供給／供給遮断を行わせている。
【００９９】
したがって、コネクタカバー２２ｂが外れたときに、ユーザの意図に応じて、通信機能実行手段であるＵＳＢコントローラ２１、ネットワークコントローラ２２等の有効／無効を決定して供給電源電力を制御することができる。その結果、通信制御における省電力効果をより一層適切に向上させることができる。
【０１００】
さらに、本実施例のインク吐出式印刷装置１は、上記制御手段としてのＣＰＵ１１が、前記通信機能実行手段への前記電源電力の供給を停止している状態で、前記キースイッチ２２ｃが前記コネクタカバー２２ｂの未装着状態を検出すると、前記報知手段としてのＡＳＩＣ２３に該通信機能実行手段を有効にするか、無効にするかを問い合わせる問い合わせ情報を報知出力させ、該問い合わせに応じて前記設定情報受信手段としてのＡＳＩＣ２３が該通信機能実行手段を有効にする前記設定情報を受信したときのみ、電源部１０に、該通信機能実行手段への前記電源電力の供給を行わせる。
【０１０１】
したがって、コネクタカバー２２ｂが外れたときに、ユーザがネットワークコントローラ２２の有効を指示したときにのみ、電源電力をネットワークコントローラ２２に供給することができる。その結果、通信制御における省電力効果をより一層適切に向上させることができる。
【０１０２】
また、本実施例のインク吐出式印刷装置１は、その通信制御部４０が、通信ケーブル（ＵＳＢケーブルＣｕ、ネットワークケーブルＣｅ）の接続の有無状態を検出するケーブル接続状態検出機能を有する複数の前記通信機能実行手段（ＵＳＢコントローラ２１、ネットワークコントローラ２２）を備え、前記制御手段としてのＣＰＵ１１が、前記通信機能実行手段のうち、少なくとも１つの該通信機能実行手段へ通信ケーブルが接続されると、他の該通信機能実行手段の有効／無効を問い合わせる問い合わせ情報を前記報知手段としてのＡＳＩＣ２３に報知出力させ、該問い合わせに応じて前記設定情報受信手段としてのＡＳＩＣ２３が受信した前記設定情報に基づいて、前記電源部１０に、該他の通信機能実行手段への前記電源電力の供給／供給遮断を行わせる。
【０１０３】
したがって、ＵＳＢケーブルＣｕ、ネットワークケーブルＣｅの少なくとも１つが、ＵＳＢコントローラ２１、ネットワークコントローラ２２に接続されたときに、他のＵＳＢコントローラ２１、ネットワークコントローラ２２への電源電力の供給をユーザの指示に応じて行う。その結果、通信制御における省電力効果をより一層適切に向上させることができる。
【０１０４】
さらに、本実施例のインク吐出式印刷装置１は、通信制御部４０によって電源電力の供給／供給遮断の行われる通信機能実行手段によって受信した画像データに対して画像処理を行う画像処理装置としてのインク吐出式印刷装置１に適用している。
【０１０５】
したがって、通信機能を備えた画像処理装置の通信制御における省電力効果をより一層適切に向上させることができる。
【０１０６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０７】
１  インク吐出式印刷装置
２  制御部
３  記録ヘッド
４  走査モータ
５  副走査モータ
６  メンテナンスモータ
７  エンコーダセンサ
８  アナログセンサ
９  操作パネル
９ａ  操作キー
９ｂ  ディスプレイ
１０  電源部
１１  ＣＰＵ
１２  ＲＯＭ
１３  RAM
１４  ＥＥＰＲＯＭ
１５  ＤＡＣ
１６  ヘッドドライバ
１７  主走査モータドライバ
１８  副走査モータドライバ
１９  メンテナンスモータドライバ
２０  ＡＤＣ
２１  ＵＳＢコントローラ
２１ａ  ＵＳＢコネクタ
２２  ネットワークコントローラ
２２ａ  ネットワークコネクタ
２２ｂ  コネクタカバー
２３  ＡＳＩＣ
３０  通信モジュール
Ｃｕ  ＵＳＢケーブル
Ｃｕｐ  プラグ
Ｃｅ  ネットワークケーブル
ＨＳ  ホスト装置
【先行技術文献】
【特許文献】
【０１０８】
【特許文献１】特開２００６−２２９５１４号公報
【図１】
2015134480.tif 000003
【図２】
2015134480.tif 000004
【図３】
2015134480.tif 000005
【図４】
2015134480.tif 000006
【図５】
2015134480.tif 000007
【図６】
2015134480.tif 000008
【図７】
2015134480.tif 000009
【図８】
2015134480.tif 000010
【図９】
2015134480.tif 000011
【図１０】
2015134480.tif 000012
【図１１】
2015134480.tif 000013
【図１２】
2015134480.tif 000014
【図１３】
2015134480.tif 000015